【手続補正書】
【提出日】平成15年12月18日(2003.12.18)
【手続補正１】
【補正対象書類名】明細書
【補正対象項目名】特許請求の範囲
【補正方法】変更
【補正の内容】
【特許請求の範囲】
【請求項１】
交互に配置された第１の組をなす流路と第２の組をなす流路を有するろう付けコアを備えた熱交換器に用いられるスペーサバーであって、コアの内部から遠ざかる方向に向いた外壁と、前記外壁と反対側に位置した内壁と、前記外壁と前記内壁との間に延びる互いに反対側に位置した第１の側壁及び第２の側壁とを有し、前記第１の側壁には、少なくとも１つの長手方向凹部が形成され、前記少なくとも１つの凹部は、前記スペーサバーを前記熱交換器のコアの少なくとも一部に結合する結合剤を受け入れるように形作られていることを特徴とするスペーサバー。
【請求項２】
前記第１の側壁は、少なくとも前記内壁に隣接して内方へテーパしていることを特徴とする請求項１記載のスペーサバー。
【請求項３】
前記スペーサバーを前記熱交換器のコアの少なくとも一部に結合する結合剤を受け入れるように形作られた少なくとも１つの長手方向凹部が、前記第２の側壁にも形成されていることを特徴とする請求項１記載のスペーサバー。
【請求項４】
前記第２の側壁は、少なくとも前記内壁に隣接して内方へテーパしていることを特徴とする請求項３記載のスペーサバー。
【請求項５】
前記第２の側壁は、前記外壁に隣接して外方に延びるフランジを有していることを特徴とする請求項１記載のスペーサバー。
【請求項６】
前記第２の側壁は、前記フランジと前記内壁との間で途切れていないことを特徴とする請求項５記載のスペーサバー。
【請求項７】
低融点合金が、前記少なくとも１つの長手方向凹部に挿入されていることを特徴とする請求項１記載のスペーサバー。
【請求項８】
低融点合金が、前記第１及び第２の側壁の各々の前記少なくとも１つの長手方向凹部に挿入されていることを特徴とする請求項３記載のスペーサバー。
【請求項９】
前記第１の側壁には、前記スペーサバーを前記熱交換器のコアの少なくとも一部に結合する結合剤を受け入れるように形作られた少なくとも２つの長手方向凹部が形成されていることを特徴とする請求項１記載のスペーサバー。
【請求項１０】
前記スペーサバーを前記熱交換器のコアの少なくとも一部に結合する結合剤を受け入れるように形作られた少なくとも２つの長手方向凹部が、前記第２の側壁にも形成されていることを特徴とする請求項９記載のスペーサバー。
【請求項１１】
交互に配置された第１及び第２の組をなす流れ通路と、複数の分離壁とを更に有し、前記分離壁は各々、隣り合う第１の組をなす流れ通路と第２の組をなす流れ通路を互いに分離し、スペーサバーは、前記第２の組をなす流れ通路の端部のところで前記分離壁相互間に配置されていることを特徴とする請求項１記載のスペーサバーを有する熱交換器コア。
【請求項１２】
前記スペーサバーの各々の前記第１の側壁には、前記スペーサバーを前記管の少なくとも一部に結合する結合剤を受け入れるように形作られた少なくとも２つの長手方向凹部が形成されていることを特徴とする請求項１１記載の熱交換器コア。
【請求項１３】
前記第２の組をなす流れ通路は、波形フィンで構成され、前記スペーサバーは、前記フィンの端部のところに配置され、前記スペーサバーの各々の前記内壁は、それぞれ対応関係にあるフィンの対向した端部に接触し、前記内壁の縁部が前記分離壁と前記スペーサバーとの間の接合部に入り込むのを阻止するよう構成されていることを特徴とする請求項１１記載の熱交換器コア。
【請求項１４】
フィンによって構成されていて、端部が外側スペーサバーにより、外面がサイドパネルにより、内面が分離壁により境界付けられた最も外側に位置する流れ通路を更に有し、前記外側スペーサバーは各々、外方に向いた側壁と、内方に向いた側壁と、外壁と、内壁と、前記内方に向いた側壁に形成されている少なくとも１つの長手方向凹部とを有し、前記少なくとも１つの凹部は、前記スペーサバーを前記分離壁の少なくとも一部に結合する結合剤を受け入れるように形作られていることを特徴とする請求項１３記載の熱交換器コア。
【請求項１５】
前記外側スペーサバーの各々の前記内壁は、それぞれ対応関係にあるフィンの対向端部に接触し、前記内壁の縁部が前記分離壁と前記外側スペーサバーとの間の接合部に入り込むのを阻止するよう構成されていることを特徴とする請求項１３記載の熱交換器コア。
【請求項１６】
前記第１及び第２の側壁のうちの少なくとも一方は、少なくとも前記内壁に隣接して内方へテーパしていることを特徴とする請求項１１記載の熱交換器コア。
【請求項１７】
前記外側スペーサバーの前記外方に向いた側壁は、前記外壁に隣接して位置する外方に延びるフランジを有し、前記外方に向いた側壁は、前記フランジと前記内壁との間で途切れていないことを特徴とする請求項１３記載の熱交換器コア。
【請求項１８】
前記外方に向いた側壁は、前記外側スペーサバー内に、前記城壁に隣接して位置する外方に延びるフランジを有し、前記外方に向いた側壁には、前記内壁に隣接して少なくとも１つの長手方向凹部が形成され、前記少なくとも１つの凹部は、前記外側スペーサバーを熱交換器コアの少なくとも１部に結合する結合剤を受け入れるように形作られていることを特徴とする請求項１３記載の熱交換器コア。
【請求項１９】
前記コアは、複数の管から成り、前記管は、前記第１の組をなす流れ通路を形成し、前記分離壁は、前記管の側壁を構成していることを特徴とする請求項１１記載の熱交換器コア。
【請求項２０】
前記管は、押出アルミニウムでできていることを特徴とする請求項１９記載の熱交換器コア。
【請求項２１】
請求項１９記載の熱交換器コアを有する熱交換器であって、前記管の端部のところに第１及び第２のタンクを更に有し、前記管は各々、互いに反対側に位置した端壁及び互いに反対側位置した側壁を有し、前記端壁は、前記タンクをこれに直接取り付けることができるのに十分な厚さのものであることを特徴とする熱交換器。
【請求項２２】
請求項１記載のスペーサバーを有する熱交換器であって、第１及び第２の互いに間隔を置いた互いに平行なタンクと、前記第１及び第２のタンク相互間に延びる第１の組をなす互いに平行な流れ通路を構成する複数の互いに間隔を置いた互いに平行な管とを更に有し、前記管は、互いに反対側に位置した側壁、互いに反対側に位置した端壁、及び側壁相互間に延びて前記第１の組をなす流れ通路を構成するピラーを有し、前記熱交換器は更に、前記管と交互に配置されていて、第２の組をなす互いに平行な流れ通路を構成する波形フィンを有し、前記スペーサバーは、前記管の端部相互間に介在して配置され、前記フィンを受け入れる空間を構成するよう幅が前記管と実質的に同一の広がりをもち、前記フィンは、前記空間内に嵌まるように寸法決めされていることを特徴とする熱交換器。
【請求項２３】
前記スペーサバーは、前記管の側壁に隣接して前記管の端部相互間に介在して設けられ、前記スペーサバーの前記第１の側壁及び第２の側壁は、前記第１及び第２の側壁と隣接の管の側壁との間に隙間を形成するよう少なくとも前記内壁に隣接して内方にテーパしていることを特徴とする請求項２２記載の熱交換器。
【請求項２４】
前記隙間の各々内に融剤及びろう付け材料を更に有していることを特徴とする請求項２３記載の熱交換器。
【請求項２５】
前記スペーサバーの各々の前記内壁は、それぞれ対応関係にあるフィンの対向端部に接触し、前記内壁の縁部が前記管の前記側壁と前記外側スペーサバーとの間の接合部に入り込むのを阻止するよう構成されていることを特徴とする請求項２２記載の熱交換器。
【請求項２６】
フィンによって構成されていて、端部が外側スペーサバーにより、外面がサイドパネルにより、内面が前記管の前記側壁により境界付けられた最も外側に位置する流れ通路を更に有し、前記外側スペーサバーは各々、外方に向いた側壁と、内方に向いた側壁と、外壁と、内壁と、前記内方に向いた側壁に形成されている少なくとも１つの長手方向凹部とを有し、前記少なくとも１つの凹部は、前記スペーサバーを前記分離壁の少なくとも一部に結合する結合剤を受け入れるように形作られていることを特徴とする請求項１３記載の熱交換器。
【請求項２７】
前記外側スペーサバーの前記外方に向いた側壁は、前記外壁に隣接して位置する外方に延びるフランジを有し、前記外方に向いた側壁は、前記フランジと前記内壁との間で途切れていないことを特徴とする請求項１３記載の熱交換器
【請求項２８】
前記内方に向いた側壁は、前記内方に向いた側壁と隣接の管の側壁との間に形成されていて、融剤及びろう付け材料を受け入れる隙間を形成するよう少なくとも前記内壁に隣接して内方にテーパしていることを特徴とする請求項２６記載の熱交換器。
【請求項２９】
前記外方に向いた側壁には、前記内壁に隣接して少なくとも１つの長手方向凹部が形成され、前記外方に向いた側壁は、前記外方に向いた側壁をそれぞれ対応関係をなすサイドパネルに結合する結合剤を受け入れるように構成されていることを特徴とする請求項２６記載の熱交換器。
【請求項３０】
前記外側スペーサバーの各々の前記内方に向いた側壁及び外方に向いた側壁には、前記スペーサバーを熱交換器コアの少なくとも一部に結合する結合剤を受け入れるよう形作られた少なくとも２つの長手方向凹部が形成されていることを特徴とする請求項２６記載の熱交換器。
【請求項３１】
前記スペーサバーの各々の前記第１の側壁には、前記スペーサバーを前記管の少なくとも一部に結合する結合剤を受け入れるように形作られた少なくとも２つの長手方向凹部が形成されていることを特徴とする請求項２２記載の熱交換器。
【請求項３２】
前記スペーサバーを前記熱交換器のコアの少なくとも一部に結合する結合剤を受け入れるように形作られた少なくとも２つの長手方向凹部が、前記第２の側壁にも形成されていることを特徴とする請求項３１記載のスペーサバー。